(57)【特許請求の範囲】
【請求項１】
シェード構造（１、１０１）であって、水平のボックス（２、１０２）を含み、前記ボックス（２、１０２）は下方領域において開口部（５、１０５）を有し、前記開口部（５、１０５）から出るシェード（８、１０８）が結合されたモータ駆動ローラ（９、１０９）と、前記ボックス（２、１０２）内に、１対の殺菌ランプ間を通された前記シェードを消毒するように、前記ボックス（２、１０２）の前記開口部（５、１０５）に隣接する領域において互いに対向して配置された１対の殺菌ランプ（１３ａ、１３ｂ、１１３ａ、１１３ｂ）とを内部に含み、
平面図において多角形の横断面を有する前記ボックス（２）は、カバー（４ａ、４ｂ）によって閉鎖可能な開放された端（３ａ、３ｂ）を有し、下側（６）の中央領域には前記開口部（５）があり、前記開口部（５）は１対のブラシ（７ａ、７ｂ）によって部分的に閉鎖されており、前記１対のブラシ（７ａ、７ｂ）は、前記シェード（８）がそれらの間を通ることを可能にするように互いに対向して配置され、または、
前記ボックス（１０２）は横断面図において、丸みを帯びて下方へ向けられた頂点（１１７）を有する涙の滴形または三角形であり、前記頂点（１１７）には前記開口部（１０５）が規定されていることを特徴とし、
前記ローラ（９、１０９）は前記ボックス（２、１０２）内にあり、モータを含み、前記１対のブラシ（７ａ、７ｂ）または前記頂点（１１７）の上方にそれに対してずれて位置する領域に配置されており、前記ローラ（９、１０９）は管によって構成され、オプションで取外し可能な適合された軸方向モータによって動かされることを特徴とする、シェード構造。
【請求項２】
前記シェード（８、１０８）は前記ローラ（９、１０９）の周りに巻きつけられ、その一端（１０、１１０）は釣り合いおもり（１１、１１１）と結合され、前記シェード（８、１０８）の配置面に隣接する領域には１対のガイド（１２ａ、１２ｂ、１１２ａ、１１２ｂ）が配置され、前記シェード（８、１０８）はそれらの間を摺動するようにされることを特徴とする、請求項１に記載の構造。
【請求項３】
前記ガイド（１１２ａ、１１２ｂ）は、前記シェード（１０８）が摺動する略Ｓ字形の迷路を規定するように、前記ボックス（１０２）の内部の方向において互いに平行に配置され、前記ガイド（１１２ａ、１１２ｂ）は、前記シェード（１０８）を誘導するように、および光が前記ボックス（１０２）から出るのを防止するように適合されていることを特徴とする、請求項２に記載の構造。
【請求項４】
前記１対の殺菌ランプ（１３ａ、１３ｂ）は、前記シェード（８）が前記１対のランプの軸に略垂直な状態で１対のガイド（１２ａ、１２ｂ）間に位置付けられるように、前記１対のガイド（１２ａ、１２ｂ）の下に位置する領域に配置されていることを特徴とする、請求項２に記載の構造。
【請求項５】
前記１対の殺菌ランプ（１３ａ、１３ｂ、１１３ａ、１１３ｂ）は、ＵＶ−Ｃ光線を用いたタイプであることを特徴とする、請求項１に記載の構造。
【請求項６】
前記１対の殺菌ランプ（１３ａ、１３ｂ、１１３ａ、１１３ｂ）は、前記ローラ（９、１０９）のモータが前記シェード（８、１０８）を昇降する間、前記モータとともに起動されることを特徴とする、請求項１に記載の構造。
【請求項７】
前記ボックス（２、１０２）の前面（１５）上に、オン／オフインジケータ（１６）と経過時間計測器（１４）とが設けられていることを特徴とする、請求項１に記載の構造。
【発明の詳細な説明】
【技術分野】
【０００１】
この発明は、シェード構造に関する。
【背景技術】
【０００２】
昨今、たとえば窓を横切って摺動できるようになるためにたとえば一端でポールと摺動可能に結合され得るシェードを提供すること、またはシェードが自動昇降を可能にするモータ駆動ローラに巻きつけられ得ることは、公知である。
【０００３】
公知技術で昨今見つかっている課題はシェードの不十分な衛生状態からなり、シェードは、洗浄されるために周期的に取外され、その後定位置に戻されなければならない。
【０００４】
さらに、たとえば病院またはクリニックまたは医学研究室またはジムなどの特定の環境で従来のシェードを使用することは、それらにほこりが堆積することに加えて、それらがバクテリアの増殖のための肥沃な場所になることを考慮すると、不可能である、ということが分かっている。
【発明の概要】
【発明が解決しようとする課題】
【０００５】
この出願の狙いはしたがって、引用された公知技術における欠点をなくし、それにより、高度の清潔な衛生状態が必要とされる特別な環境においても採用され得るシェードを提供することによって、上述の技術的課題を解決することである。
【０００６】
この狙いにおいて、この発明の目的は、その使用が長期間延長可能であり、このためシェードの連続的および周期的な洗浄を適切に実行する必要性をなくす、シェードを提供することである。
【０００７】
この発明の別の目的は、使用されない場合でもシェードを最高に清潔な衛生状態で維持することを可能にする発明を提供することである。
【０００８】
別の目的は、構造的に単純で低コストであり、通常の従来の工場で作ることができる発明を提供することである。
【課題を解決するための手段】
【０００９】
以下により明らかになるであろう、この狙いならびにこれらのおよび他の目的は、シェード構造であって、水平のボックスを含み、ボックスは下方領域において開いており、オプションのガイドと協働する、シェードが結合されたモータ駆動ローラと、少なくとも１つの殺菌ランプとを内部に含むことを特徴とする、シェード構造によって達成される。
【００１０】
この発明のさらなる特徴および利点は、添付図面に非限定的な例として示された、特定のものであるものの排他的ではない実施形態の詳細な説明からより明らかになるであろう。
【図面の簡単な説明】
【００１１】
【図１】シェードが部分的に降ろされた構造の斜視図である。
【図２】シェード構造の正面図である。
【図３】ボックスが部分的に切り取られたシェード構造の斜視図である。
【図４】図２の線ＩＶ−ＩＶに沿った断面図である。
【図５】この発明のさらなる一実施形態の、前の図と同様の図である。
【発明を実施するための形態】
【００１２】
図示された実施形態では、特定の例に関して示された個々の特徴は、実際には、他の実施形態に存在する他の異なる特徴と交換されてもよい。
【００１３】
図を参照して、参照符号１は概してシェード構造を示し、それは、金属、またはプラスチック材料、または複合材料で作られた水平のボックス２によって構成されている。ボックス２は好ましくは、平面図において多角形、好ましくは正方形の横断面を有する。
【００１４】
ボックス２は、適合されたカバー４ａ、４ｂによって閉鎖可能な開放された端３ａ、３ｂを有する。また、下側６の中央領域には開口部５もある。
【００１５】
開口部５は１対のブラシ７ａ、７ｂによって部分的に閉鎖されており、１対のブラシ７ａ、７ｂは、シェード８がそれらの間を通ることを可能にするように互いに対向して配置されている。
【００１６】
シェードは有利には難燃性の織物で作られており、それはまたオプションで、汚れが内部に浸透するのを防止するように繊維を閉鎖してそれに撥水性を持たせるように化学的に処理され得る。
【００１７】
有利には、シェード８は、２５０〜３００ｇ／ｍ２間で可変である重量を有する。
１対のブラシ７ａ、７ｂの機能は、ほこりの侵入を防ぐことである。
【００１８】
ボックス２内にはローラ９が設けられ、それはモータ駆動され、有利には、１対のブラシ７ａ、７ｂの上方にそれらに対してずれて位置する領域に配置されている。
【００１９】
ローラ９は有利には、アルミニウム管によって構成され、オプションで取外し可能な適合された軸方向モータによって動かされる。
【００２０】
シェード８はローラ９の周りに巻きつけられ、その一端１０は有利には釣り合いおもり１１と結合されている。
【００２１】
ローラ９と１対のブラシ７ａ、７ｂとの間の中間領域には、１対のガイド１２ａ、１２ｂが有利に配置され、シェード８はそれらの間を摺動するようにされる。
【００２２】
１対のガイド１２ａ、１２ｂの機能は、下に位置する開口部５でのシェード８の正確な位置付けを誘導することである。
【００２３】
ボックス２内には１対の殺菌ランプ１３ａ、１３ｂが設けられ、それらは、ボックス２の下側６に隣接する領域において互いに対向して配置されている。
【００２４】
有利には、１対の殺菌ランプ１３ａ、１３ｂは、シェード８が１対のランプの軸に略垂直な状態で１対のガイド１２ａ、１２ｂ間に位置付けられるように、１対のガイド１２ａ、１２ｂの下に位置する領域に配置されている。
【００２５】
１対の殺菌ランプ１３ａ、１３ｂは好ましくは、ＵＶ−Ｃ光線を用いたタイプであり、たとえば、ライトプログレス（Light Progress）社のＵＶ  ＤＩＲＥＣＴ  Ｅ７５Ｈ−Ｈモデルで、それは織物を消毒する。
【００２６】
有利には、１対の殺菌ランプ１３ａ、１３ｂは、ローラ９のモータがシェード８を昇降する間、モータとともに起動される。
【００２７】
１対のブラシ７ａ、７ｂの別の機能は、ランプの光線がボックス２の外部に出るのを防止することである。
【００２８】
同様に有利には、ボックス２の前面１５上に配置された経過時間メータ１４が存在する。
【００２９】
同様に有利には、オン／オフインジケータ１６も前面１５上に存在しており、その機能は、ランプが運転中かどうかを表示することである。
【００３０】
このように、この発明は意図された狙いおよび目的を十分に達成し、高度の清潔な衛生状態が必要とされる特別な環境においても使用され得るシェード構造が得られ、シェードは使用のたびに消毒され、使用されないときにはボックスに保存される、ということが分かっている。
【００３１】
明らかに、この発明の個々の構成要素の寸法および使用される材料は、特定の要件に従ってより適切であってもよい。
【００３２】
このため、たとえば、図５は、シェード構造１０１が、横断面図において、丸みを帯びて下方へ向けられた頂点１１７を有する涙の滴形または三角形である水平のボックス１０２によって構成される解決策を示す。頂点１１７には開口部１０５が規定されている。
【００３３】
ボックス１０２内にはローラ１０９が設けられ、それはモータ駆動され、有利には、頂点１１７の上方にそれに対してずれて位置する領域に配置されている。
【００３４】
シェード１０８はローラ１０９の周りに巻きつけられ、その一端１１０は有利には、ボックス１０２内で開口部１０５と軸方向に整列して作用する釣り合いおもり１１１と結合されている。
【００３５】
開口部１０５と隣接して、１対のガイド１１２ａ、１１２ｂが設けられ、それらは、シェード１０８が摺動する略Ｓ字形の迷路を規定するように、ボックス１０２の内部の方向において互いに平行に配置されている。
【００３６】
１対のガイド１１２ａ、１１２ｂの機能は、下に位置する開口部１０５でのシェード１０８の正確な位置付けを誘導すること、および光がボックス１０２から出るのを防止することである。
【００３７】
ボックス１０２内には１対の殺菌ランプ１１３ａ、１１３ｂが設けられ、それらは、ボックス１０２の頂点１１７に隣接する領域において互いに対向して配置されている。
【００３８】
有利であり、便利であり、または同様であるとして上述された特徴はなくてもよく、もしくは同等の特徴によって置換えられてもよい。
【００３９】
本願が優先権を主張する基となるイタリア実用新案出願第ＴＶ２０１３Ｕ００００３５号における開示が、ここに引用により援用される。
【００４０】
請求項で述べられた技術的特徴には参照符号が続いているが、これらの参照符号は請求項の理解度を高めるという目的のためにのみ含まれたものであり、したがって、そのような参照符号は、そのような参照符号によって一例として識別された各要素の解釈に対して限定的な効果を何ら有さない。
【図１】
0006703941.tif 000002
【図２】
0006703941.tif 000003
【図３】
0006703941.tif 000004
【図４】
0006703941.tif 000005
【図５】
0006703941.tif 000006